(57)【要約】  カニューレと針組立体は、まず、針組立体により人又は動物の皮膚に開口を形成し、そして、針によって形成された開口を介してカニューレを針により人又は動物に挿入するように構成される。この組立体はまた、針組立体をドッキング位置に確実に維持する構造体を含む。
2019514645.tif 000002
【特許請求の範囲】
【請求項１】
カニューレと針組立体であって、カニューレと、針ハブと、細長い中空の針と、ウイングとを含み、
前記カニューレは、後端及び前端を有し、
前記カニューレは、後端及び前端を有するマウントを含み、前記後端と前記前端との間には通路が延在し、前記通路は後端及び前端を有し、前記マウントの前記後端は、注射器に着脱可能に接続されるように構成され、
前記マウントの前記前端はテーパ状であり、それから外方に突出する半径方向に離間された複数のリブを有し、
前記カニューレは、後端及び前端を有する細長い中空軸を含み、
前記中空軸の前記後端は、前記マウントの前記前端に固定され、それにより、前記中空軸の前記後端は、前記マウント内の前記通路の前記前端と連通し、
前記針ハブは、後端及び前端を有し、
前記針ハブは、前記針ハブの前記後端と前記前端との間に延在する通路が形成され、
前記細長い中空の針は、後端及び前端を有し、
前記針の前記後端は、前記針ハブの前記前端に固定され、それにより、前記針は、前記針ハブを通して延在する前記通路の前記前端と連通し、
前記針の前記前端は鋭利にされ、前記ウイングは、上端及び下端を有し、
前記ウイングの前記下端は、前記針ハブに固定され、
前記針ハブの前記後端には、半径方向に離間された複数のスロットが形成され、
前記針ハブは、前記カニューレの前記中空軸に摺動可能に取り付けられ、それにより、前記中空軸は、前記針ハブの前記後端、前記針ハブ内の前記通路、及び前記針を通して摺動可能に延在し、
前記針ハブ及び前記針は、前記中空軸及び前記マウントに対して第１のドッキング位置と第２の伸長位置との間で摺動可能に移動可能であり、
前記針ハブの前記後端の前記スロットは、前記マウントの前記リブを受け入れて、前記針ハブ及び前記針を前記第１のドッキング位置に確実に維持し、
前記針ハブ及び前記針が前記第１のドッキング位置にあるとき、前記針の前記前端は前記中空軸の前記前端の後方に位置し、
前記針ハブ及び前記針が前記第２の伸長位置にあるとき、前記針の前記前端は前記カニューレの前記前端の前方に位置する、ことを特徴とするカニューレと針組立体。
【請求項２】
前記針ハブが前記中空軸に対して摺動可能に移動するのを確実に防止するために、前記中空軸が通して延在する前記針ハブに、前記中空軸と摩擦係合するシールが配置される、ことを特徴とする請求項１に記載のカニューレと針組立体。
【請求項３】
前記シールを前記針ハブ内に維持するために、シールリテーナが前記針ハブに配置される、請求項２に記載のカニューレと針組立体。
【請求項４】
前記ウイングの上には、把持部材が設けられる、ことを特徴とする請求項１に記載のカニューレと針組立体。
【請求項５】
前記針ハブの前記後端は拡大部を有し、前記拡大部にはまた、径方向に離間したスロットが形成される、ことを特徴とする請求項１に記載のカニューレと針組立体。
【請求項６】
カニューレと針組立体であって、カニューレと、アダプタと、細長い中空軸と、針ハブと、細長い中空針と、ウイングとを含み、
前記カニューレは、後端及び前端を有し、
前記カニューレは、後端及び前端を有するマウントを含み、前記後端と前記前端との間には通路が延在し、前記通路は後端及び前端を有し、
前記アダプタは、後端及び前端を有し、
前記アダプタの前記前端は、前記マウントの前記後端に固定されるように構成され、
前記アダプタの前記後端は、注射器に着脱可能に接続されるように構成され、
前記アダプタは、前記アダプタから前方に延在する後端及び前端を有する一対の細長い離間されたディテント部材を有し、
前記細長い中空軸は、後端及び前端を有し、
前記中空軸の前記後端は、前記マウントの前記前端に固定され、それにより、前記中空軸の前記後端は、前記マウント内の前記通路の前記前端と連通し、
前記針ハブは、後端及び前端を有し、
前記針ハブは、前記針ハブの前記後端と前記前端との間に延在する通路が形成され、
前記細長い中空針は、後端及び前端を有し、
前記中空針の前記後端は、前記針ハブの前記前端に固定され、それにより、前記中空針は、前記針ハブを通して延在する前記通路の前記前端と連通し、
前記中空針の前記前端は鋭利にされ、
前記ウイングは、上端及び下端を有し、
前記ウイングの前記下端は、前記針ハブに固定され、
前記針ハブは、前記中空軸に摺動可能に取り付けられ、それにより、前記中空軸は、前記針ハブの前記後端、前記針ハブ内の前記通路、及び前記中空針を通して摺動可能に延在し、
前記針ハブ及び前記中空針は、前記中空軸及び前記マウントに対して第１のドッキング位置と第２の伸長位置との間で摺動可能に移動可能であり、
前記針ハブ及び前記中空針が前記第１のドッキング位置にあるとき、前記ウイングは、前記離間されたディテント部材の間に受け入れられ、
前記針ハブ及び前記中空針が前記第１のドッキング位置にあるとき、前記ウイングは、前記ディテント部材の間に確実に保持され、
前記針ハブ及び前記中空針が前記第１のドッキング位置にあるとき、前記中空針の前記前端は、前記中空軸の前記前端の後方に位置し、
前記針ハブ及び前記中空針が前記第２の伸長位置にあるとき、前記中空針の前記前端は前記カニューレの前記前端の前方に位置する、ことを特徴とするカニューレと針組立体。
【請求項７】
前記針ハブが前記中空軸に対して摺動可能に移動するのを確実に防止するために、前記中空軸が通して延在する前記針ハブに、前記中空軸と摩擦係合する摩擦シールが配置される、ことを特徴とする請求項６に記載のカニューレと針組立体。
【請求項８】
前記摩擦シールを前記針ハブ内に維持するために、シールリテーナが前記針ハブに配置される、請求項７に記載のカニューレと針組立体。
【請求項９】
前記ウイングの上には、把持部材が設けられる、ことを特徴とする請求項６に記載のカニューレと針組立体。
【請求項１０】
前記ウイングには、前記針ハブ及び前記中空針が前記第１のドッキング位置にあるときに前記ディテント部材の前記前端を受け入れる凹部が形成される、ことを特徴とする請求項６に記載のカニューレと針組立体。
【請求項１１】
カニューレと針組立体であって、カニューレと、アダプタと、細長い中空軸と、針ハブと、細長い中空針と、ウイングと、構造体とを含み、
前記カニューレは、後端及び前端を有し、
前記カニューレは、後端及び前端を有するマウントを含み、前記後端と前記前端との間には通路が延在し、前記通路は後端及び前端を有し、
前記アダプタは、後端及び前端を有し、
前記アダプタの前記前端は、前記マウントの前記後端に固定されるように構成され、
前記アダプタの前記後端は、注射器に着脱可能に接続されるように構成され、
前記細長い中空軸は、後端及び前端を有し、
前記中空軸の前記後端は、前記マウントの前記前端に固定され、それにより、前記中空軸の前記後端は、前記マウント内の前記通路の前記前端と連通し、
前記針ハブは、後端及び前端を有し、
前記針ハブは、前記針ハブの前記後端と前記前端との間に延在する通路が形成され、
前記細長い中空針は、後端及び前端を有し、
前記中空針の前記後端は、前記針ハブの前記前端に固定され、それにより、前記中空針は、前記針ハブを通して延在する前記通路の前記前端と連通し、
前記中空針の前記前端は鋭利にされ、
前記ウイングは、上端及び下端を有し、
前記ウイングの前記下端は、前記針ハブに固定され、
前記針ハブは、前記中空軸に摺動可能に取り付けられ、それにより、前記中空軸は、前記針ハブの前記後端、前記針ハブ内の前記通路、及び前記中空針を通して摺動可能に延在し、
前記針ハブ及び前記中空針は、前記中空軸及び前記マウントに対して第１のドッキング位置と第２の伸長位置との間で摺動可能に移動可能であり、
前記針ハブ及び前記中空針が前記第１のドッキング位置にあるとき、前記中空針の前記前端は、前記中空軸の前記前端の後方に位置し、
前記針ハブ及び前記中空針が前記第２の伸長位置にあるとき、前記中空針の前記前端は前記カニューレの前記前端の前方に位置し、
前記構造体は、前記針ハブ及び前記中空針を前記第１のドッキング位置に確実に維持する、ことを特徴とするカニューレと針組立体。
【発明の詳細な説明】
【技術分野】
【０００１】
あなたの申立人として、アメリカ合衆国の国民であり、カリフォルニア州の居住者であるＧＡＹＬＥ  ＭＩＳＬＥ（郵便局の住所が、３１  Ｓｏｕｔｈ  Ｅｌ  Ｃａｍｉｎｏ  Ｒｅａｌ、Ｍｉｌｌｂｒａｅ、ＣＡ  ９４０３０）と、アメリカ合衆国の国民であり、ユタ州の居住者であるＲＹＡＮ  Ｃ．  ＰＡＴＴＥＲＳＯＮ（郵便局の住所が、２９７  Ｆｒｏｎｔｉｅｒ  Ｒｏａｄ、Ｆａｒｍｉｎｇｔｏｎ、Ｕｔａｈ、８４０２５である）と、アメリカ合衆国の国民であり、ユタ州の居住者であるＴＲＥＮＴ  Ｊ．  ＰＥＲＲＹ（郵便局の住所が、４２０  Ｅａｓｔ  ６５０  Ｓｏｕｔｈ、Ｋａｙｓｖｉｌｌｅ、Ｕｔａｈ  ８４０３７である）とは、以下の明細書に記載された発明のために特許証が付与されることを祈る。
【０００２】
本発明は、カニューレと針組立体に関し、より詳しくは、膝、腕、肩、顔などのような人の様々な部位にカニューレを挿入するための手段に関する。本発明はまた、犬、猫などの動物にカニューレを挿入するために使用され得る。
【背景技術】
【０００３】
カニューレは、通常、患者の血管、導管又は腔に材料又は薬剤を挿入するために使用される可撓性チューブとして定義される。カニューレの挿入端は鈍い又はなまくらであるので、カニューレを人の皮膚に挿入することが困難になる。人にカニューレを挿入する通常の方法では、まず、針で人の皮膚に切開又はホールを作る。次に、針は、切開又はホールから取り外される。その後、針は、そのスリーブキャップに入れられるか又は廃棄される。注射する人は、その後、針ホールを見つけようとし、カニューレを皮膚の針ホールに通す。通常、注射する人は、人の皮膚に大きなホールを作り出すために必要以上に大きな針を使用するので、針ホールを通るカニューレの挿入が多少容易になる。
【発明の概要】
【発明が解決しようとする課題】
【０００４】
この概要は、以下の「詳細な説明」でさらに説明する概念の選択を簡略化した形で紹介するために提供される。この概要は、主張される主題の重要な側面又は本質的な側面を特定することを意図しない。さらに、この概要は、主張される主題の範囲を決定する補助としての使用を意図しない。
【０００５】
カニューレが後端及び前端を有するカニューレと針組立体は開示される。カニューレは、後端及び前端を有するマウントを含み、前記後端と前記前端との間には通路が延在し、前記通路は後端及び前端を有する。カニューレのマウントの後端は、注射器に着脱可能に接続されるように構成される。マウントの前端はテーパ状であり、それから外方に突出する規則的に離間された複数のリブを有する。カニューレはまた、後端及び前端を有する細長い中空軸を含む。中空軸の後端は、マウントの前端に固定され、それにより、中空軸の後端は、マウント内の通路の前端と連通する。
【０００６】
組立体はまた、後端及び前端を有する針ハブを備えた針部を含む。針ハブには、その後端と前端との間に延在する通路が形成される。後端及び前端を有する細長い中空針の後端は針ハブの前端に固定され、それにより、針は、針ハブを通して延在する通路の前端と連通する。針の前端は鋭利にされる。針ハブはまた、上端及び下端を有し、それから延在するウイングを有する。針ハブの後端には、半径方向に離間された複数のスロットが形成され、針ハブは、カニューレの中空軸に摺動可能に取り付けられ、それにより、軸は針ハブの後端、針ハブ内の通路、及び針を通して延在する。針ハブ及び針は、中空軸及びマウントに対して第１のドッキング位置と第２の伸長位置との間で摺動可能且つ着脱可能に取り付けられる。針ハブの後端のスロットは、マウントのリブを受け入れて、針ハブ及び針を第１のドッキング位置に確実に維持する。針ハブ及び針がそれらの第１のドッキング位置にあるとき、針の前端は、軸の前端の後方に位置する。針ハブ及び針が伸長位置にあるとき、針の前端は、カニューレの前端の前方に位置する。
【０００７】
カニューレと針組立体の別の実施形態がまた説明される。本発明のカニューレと針組立体を使用して薬剤又は化粧料を人に注射する方法が説明される。本発明のカニューレと針組立体は、薬剤などを動物に注射するために使用され得る。
【０００８】
従って、本発明の主要な目的は、改善されたカニューレと針組立体を提供することである。
【０００９】
本発明の更なる目的は、以下のようなカニューレと針組立体を提供することである。このカニューレと針組立体は、針組立体が人又は動物にホールを作り、且つ、カニューレを人又は動物に挿入する間に針が所定の位置にある状態で、針によって形成された開口を介して針を通して動物の体内に摺動可能に延在するカニューレを有する。
【００１０】
本発明の更なる目的は、本分野における進歩を表すカニューレと針組立体を説明することである。
【００１１】
本発明の更なる目的は、使い易いカニューレと針組立体を提供することである。
【００１２】
これらの目的及び他の目的は、当業者には明らかであろう。
【図面の簡単な説明】
【００１３】
本発明の非限定的且つ非網羅的な実施形態を以下の図面を参照して説明するが、特に明記しない限り、様々な図を通して同様の参照符号は同様の部品を指す。
【図１】本発明の針部がそのドッキング位置にある本発明の一実施形態の斜視図である。
【図２】図１の実施形態の分解斜視図である。
【図３】本発明の針部の分解斜視図である。
【図４】本発明の針部の斜視図である。
【図５】本発明のカニューレを人又は動物に挿入する方法を示す斜視図である。
【図６】本発明のカニューレを人又は動物に挿入する方法を示す斜視図である。
【図７】本発明のカニューレを人又は動物に挿入する方法を示す斜視図である。
【図８】本発明のカニューレを人又は動物に挿入する方法を示す斜視図である。
【図９】本発明のカニューレを人又は動物に挿入する方法を示す斜視図である。
【図１０】本発明のカニューレと針組立体を使用して患者の顔に化粧料を注射する方式を示す斜視図である。
【図１１】本発明の第２実施形態を示す斜視図である。
【発明を実施するための形態】
【００１４】
実施形態は、本明細書の一部を形成し、例示として特定の例示的な実施形態を示す添付の図面を参照して、以下により完全に説明される。これらの実施形態は、当業者が本発明を実施できるように十分に詳細に開示されている。しかしながら、実施形態は、多くの異なる形態で実施されてもよく、本明細書に記載の実施形態に限定されると解釈されるべきではない。したがって、以下の詳細な説明は、本発明の範囲が添付の特許請求の範囲によってのみ規定されるという点で限定的な意味で解釈されるべきではない。
【００１５】
カニューレを患者又は動物に挿入することを可能にするために、カニューレと針組立体が提供される。本発明の第１実施形態は、図１〜４に示される。第１実施形態を使用する方法は、図５〜１０に示される。図１１は、本発明の第２実施形態を示す。
【００１６】
符号１０は、図１〜４のカニューレと針組立体を指す。組立体１０は、注射器１３（図５）に接続するための汎用注射器アダプタ１２を含む。アダプタ１２は、好ましくはアダプタ１２で成形された針ドック１４を除いて、従来の設計によるものである。針ドック１４は、任意の便利な手段により注射器アダプタ１２に取り付けられた別個の部品であってもよい。針ドック１４は、ベース１６と、その間に細長いスロット又は開口２２を画定する、前方に延在して離間された一対のドッキング部材又はディテント１８及び２０とを含む。
【００１７】
符号２４は、本発明のカニューレを指す。カニューレ２４は、その後端に従来のマウント２６を含み、それは従来の形態で注射器アダプタ１２に接続される。マウント２６の前端はテーパ状であり、それに複数のノッチ又は溝２８が形成され、複数のノッチ又は溝２８の間にリブ２９がある。この実施形態では、以下に説明するように、溝２８及びリブ２９は必要ではない。カニューレ２４は、マウント２６から前方に延在する細長い中空軸３０を含み、通常、なまくら又は鈍い前端３２を有するマウント２６及び軸３０は中空であり、薬剤又は化粧料を通過させることができる。
【００１８】
符号３４は、組立体１０の針部を指す。針部３４は、前方にテーパ状になった針ハブ３６を含み、この針ハブ３６は、それを通して延在する穴３８を有する。穴３８は、その後端に拡大後部穴部３９を含む。円盤状の摩擦弁４０が穴３８の拡大穴部３９に配置され、それに形成されたスリット４２を有する。摩擦弁４０を所定の位置に保持するために、摩擦弁保持クリップ４４が穴３８の拡大穴部３９に配置される。クリップ４４には、カニューレ２４の軸３０が通過する中央開口４６が形成される。針部３４はまた細長い針４８を含む。針４８の後端はハブ３６に固定され、その外端に尖端５０を有する。針４８は中空であり、その後端は穴３８の前端と連通する。ウイング５２は、ハブ３６に固定された一端を有し、且つそこから外方に延在する。ウイング５２には複数の把持部材５４が形成される。ウイング５２の一方の側に凹部５６が形成され、ウイング５２の他方の側に凹部５８が形成される。
【００１９】
カニューレと針組立体１０は、カニューレ２４を患者又は動物に挿入するために使用され得る。カニューレ２４は、患者の膝、足首、脚、腕、顔などに挿入され得る。図５には、患者の皮膚６０が示される。次に、カニューレ２４が患者に挿入される方式について説明する。まず、カニューレ２４はその保護スリーブ又は容器から取り出され、従来の形態で注射器１３に固定される。次に、針ハブ３６の穴３８、摩擦弁４０及び針４８を介して、カニューレ２４の軸３０の前端又は外端は通されるか又は延ばされる。カニューレ２４の軸３０は、針位置３４で摩擦弁４０と摩擦係合して、放置されたときに針部がカニューレ２４を上下に摺動することを防止する。カニューレ２４は、針部３４が図１のドッキング位置又は格納位置になるまで、針４８を通して最初に延在する。図１のドッキング位置では、ウイング５２がディテント１８及び２０の間に受け入れられる。ディテント１８及び２０の外端又は前端は、凹部５６及び５８にそれぞれ受け入れられて、針部３４を図１のドッキング位置に確実に維持する。
【００２０】
カニューレ２４の患者への挿入が開始されるとき、針部３４は、図１のそのドッキング位置から図５の伸長位置に外方に摺動可能に移動され、針先端５０は、図５に見られるように、カニューレ２４の軸３０の外端又は前端３２に配置される。針部３４は、注射する人６２がウイング５２を把持することによって、図１のそのドッキング位置から図５の伸長位置に容易に移動される。
【００２１】
次いで、注射する人６２は、針４８の先端５０を患者の皮膚に刺し込み、患者に開口又はホール６４を作る。針４８がホール６４内にまだある間に、カニューレ２４は、患者に向かって移動されて、カニューレ２４の軸３０の前端３２は、患者の所望の部位への針４８の案内により、ホール６４内に入る。次に、注射器１３は、図８に見られるように、患者に薬剤又は化粧料を注射するために使用される。そのとき、針部３４は、通常、針部３４が「邪魔にならない」ように、そのドッキング位置に置かれる。次いで、カニューレ２４は、患者から引き抜かれてもよいし、又は、カニューレ２４を患者に残すことができるように注射器１３から切り離されてもよい。
【００２２】
図１０は、患者の顔に化粧料を注射するために使用されているカニューレと針組立体１０を示す。
【００２３】
図１１は、符号１０’で参照される本発明の第２実施形態を示す。図１〜４のカニューレと針組立体１０の構造と同一である図１１の構造は、「’」で示される。カニューレと針組立体  １０’は、カニューレと針組立体１０に非常に類似している。図１１に示されるカニューレと針組立体  １０’は、カニューレと針組立体１０の針ドック１４を含まない。組立体１０’と１０の別の相違点は、針部３４’の針ハブ６８が拡大後端７０を有し、針ハブ６８が図１１に見られるドッキング位置に確実に維持されるように、マウント２６’のリブ２９’を受け入れる半径方向に離間された複数のスロット７２が形成されることである。カニューレと針組立体１０’は、カニューレと針組立体１０が使用される方式で使用される。
【００２４】
要すると、本発明の針部３４は、鈍い又はなまくらカニューレ２４を皮膚６０に挿入するのを補助する。この組立体により、注射する人は、針４８で皮膚６０を突き刺し、そして、針４８を皮膚から取り外したり、カニューレ２４及び針部３４上のハンドホルダを交換したりすることなくカニューレ２４で皮膚６０を突き刺すことができる。針部３４はカニューレ２４に取り付けられるので、無菌状態のままである。組立体１０は、針４８を除去し、それをリキャップ又は廃棄するステップを排除する。組立体１０はまた、注射器が針ホールを見つけてカニューレ２４でそれに再挿入することを必要とするステップを排除する。カニューレと針組立体１０の別の利点は、無菌状態が維持されれば、組立体を顔又は身体の異なる領域において再使用することができるので、新しいカニューレ及び針を使用する必要性が排除され、それによって経費が削減されることである。
【００２５】
針ハブ及び針をドッキング位置に維持する２つの方法が示されているが、それらは磁石などの他の手段によってドッキング位置に確実に保持することができる。
【００２６】
したがって、本発明は、少なくともそのすべての目的を達成することが分かる。
【００２７】
本発明は、特定の構造及び方法論的ステップに特有の言語で説明されているが、添付の特許請求の範囲に定義された本発明は必ずしも説明された特定の構造及び／又はステップに限定されないことを理解されたい。むしろ、特定の態様及びステップは、請求された発明を実施する形態として記載される。本発明の多くの実施形態は、本発明の精神及び範囲から逸脱することなく実施することができるので、本発明は添付の特許請求の範囲に属する。
【図１】
2019514645.tif 000003
【図２】
2019514645.tif 000004
【図３】
2019514645.tif 000005
【図４】
2019514645.tif 000006
【図５】
2019514645.tif 000007
【図６】
2019514645.tif 000008
【図７】
2019514645.tif 000009
【図８】
2019514645.tif 000010
【図９】
2019514645.tif 000011
【図１０】
2019514645.tif 000012
【図１１】
2019514645.tif 000013
【国際調査報告】
2019514645.tif 000014